(57)【要約】      （修正有）【課題】地震に強い棟の構造に用いるのし瓦及び屋根構造を提供する。【解決手段】棟方向に沿って延びる中心線において２つに割った分割瓦１０を屋根の棟部に用いる半截方式のし瓦であって、中心線に近づくに従い下方に向かって突出するテーパ面１１が下面１２における中心線の近傍に形成されている。屋根構造は、葺土３と、葺土３上に複数段積み重ねられた分割瓦１０と、分割瓦１０上に載置された冠瓦４とを備える。【選択図】図３
0003169677.tif 000002
【実用新案登録請求の範囲】
【請求項１】
棟方向Ｘに沿って延びる中心線Ｃにおいて２つに割った分割瓦１０を屋根の棟部に用いる半截方式のし瓦１であって、
前記中心線Ｃに近づくに従い下方に向かって突出するテーパ面１１が下面１２における前記中心線Ｃの近傍に形成されている、のし瓦。
【請求項２】
請求項１において、前記中心線Ｃの近傍には銅線２を挿通するための複数の貫通孔１３が形成されており、
前記貫通孔１３が１つの分割瓦１０につき少なくとも２個設けられ、かつ、前記２個の貫通孔１３が前記棟方向Ｘの中央において互いに接近して設けられ、
前記のし瓦１の状態において前記２個の貫通孔１３に銅線２が挿通され前記銅線２が前記のし瓦１に括り付けられている、のし瓦。
【請求項３】
請求項１もしくは２において、前記テーパ面１１の近傍には屋根の傾斜方向Ｙに延びる突条１９が前記棟方向Ｘに互いに離間して複数本設けられている、のし瓦。
【請求項４】
請求項１、２もしくは３に記載されたのし瓦を用いた屋根構造であって、
棟に沿って盛られた葺土３と、
前記のし瓦１が前記中心線Ｃに沿って分割され、前記葺土３上において前記棟の両側に複数段積み重ねられた前記分割瓦１０と、
前記葺土３に接する前記テーパ面１１と、
前記分割瓦１０の上に載置された冠瓦４とを備える屋根構造。
【考案の詳細な説明】
【技術分野】
【０００１】
本考案は、主として棟部に用いる半截式のし瓦および該のし瓦を用いた本棟の屋根構造に関するものである。
【背景技術】
【０００２】
従来より、屋根構造として半截式のし瓦を用いたものは周知である。（特許文献１，２）
【０００３】
かかる従来の半截式のし瓦を用いた屋根構造の一例を図８に示す。
半截方式のし瓦は、棟方向に沿って延びる中心線において２つに割った分割瓦１０を屋根の棟部に沿って配置される。
【０００４】
図８の屋根構造において、野地板５０上に棟に沿って葺土３が盛られ、更に、前記葺土３の上に左右一対の分割瓦１０が積み重ねられる。前記葺土３と分割瓦１０とは交互に積み重ねられ、最上段には前記葺土３および分割瓦１０の上方に冠瓦４が配置される。前記各分割瓦１０には葺土３に係合する凸条１００が形成されている。
【先行技術文献】
【特許文献】
【０００５】
【特許文献１】実登３０９３６１４（要約）
【特許文献２】特許３９９０４３５（図１）
【考案の概要】
【考案が解決しようとする課題】
【０００６】
しかし、各分割瓦１０は左右の一方をまず敷きつめた後に、他方を配置していく。その際、後に敷いた分割瓦１０が葺土３を棟の中心に向かって押し、前に敷いた分割瓦１０が棟の中心から遠ざかる方向にズレ易い。
【０００７】
また、凸条１００が小さく、そのため、分割瓦１０が地震や台風でズレ易く、棟が崩れ易い。
【０００８】
したがって、本考案の主たる目的は、施工時および施工後にズレにくく、崩れにくいのし瓦および屋根構造を提供することである。
【課題を解決するための手段】
【０００９】
前記目的を達成するために、本考案の、のし瓦は棟方向Ｘに沿って延びる中心線Ｃにおいて２つに割った分割瓦１０を屋根の棟部に用いる半截方式のし瓦１であって、前記中心線Ｃに近づくに従い下方に向かって突出するテーパ面１１が下面１２における前記中心線Ｃの近傍に形成されている。
【考案の効果】
【００１０】
本考案によれば、テーパ面１１を設けたので、葺土３がテーパ面１１により分割瓦１０の下面と野地板５０との間に詰まって、棟の中心に向かって逃げにくい。そのため、後に配置した分割瓦１０が先に配置した分割瓦１０を棟の中心から遠ざかる方向に押しやるおそれがない。したがって、分割瓦１０がズレにくい。
しかも、分割瓦１０のテーパ面１１が葺土３に係合し、施工後も分割瓦１０が棟の中心からズレにくい。そのため、地震によって棟が崩れるのを防止し得る。
【図面の簡単な説明】
【００１１】
【図１】本考案の実施例１を示すのし瓦の斜視図である。
【図２】同のし瓦を裏から見た斜視図である。
【図３】同のし瓦を用いた屋根構造を示す正面図である。
【図４】実施例２にかかる、屋根構造を示す正面図である。
【図５】実施例３にかかる、屋根構造を示す正面図である。
【図６】同実施例３に用いたのし瓦の断面図および底面図である。
【図７】実施例４にかかる、のし瓦を裏面から見た斜視図である。
【図８】従来の屋根構造を示す正面図である。
【実施例】
【００１２】
以下、本発明の実施例を図面にしたがって説明する。
図１〜図３は実施例１を示す。
【００１３】
図１において、半截式のし瓦１の上面には２つに割って分割し易くするための割溝１４が中心線Ｃに沿って形成されている。なお、のし瓦１は左右対称の形状を有している。
【００１４】
図２に示すように、のし瓦１の下面１２には前記中心線Ｃの両側に一対のテーパ面１１、１１が形成されている。前記テーパ面１１は前記中心線Ｃに近づくに従い下方に向かって突出する。
【００１５】
すなわち、図３に示すように、前記テーパ面１１は棟の中心から遠ざかるに従い上方に向かって傾斜している。そのため、分割瓦１０を葺土３の上に載せた際に、葺土３を野地板５０と分割瓦１０の下面１２との間に密に詰める力が働き、したがって、分割瓦１０の下方の葺土３が棟の中心に向かって移動しにくい。その結果、葺土３により分割瓦１０が反対側に押しやられるのを防止し得るので、施工時に分割瓦１０がズレにくい。
【００１６】
前記分割瓦１０の下面１２には前記中心線Ｃ（図２）に平行に微細な多数の係合溝１５が形成されており、この係合溝１５も葺土３に係合して分割瓦１０のズレを防止する。
【００１７】
図１の前記のし瓦１には前記中心線Ｃの近傍において銅線２を挿通するための複数の貫通孔１３が形成されている。前記貫通孔１３は１つの分割瓦１０につき４個設けられ、かつ、そのうちの２個の貫通孔１３が前記棟方向Ｘの中央において互いに接近して設けられている。図１に示すように、前記のし瓦１の状態において前記２個の貫通孔１３に銅線２が挿通され前記銅線２が前記のし瓦１に括り付けられている。
【００１８】
前記銅線２を予め、のし瓦１に括り付けておくことで、賃金の高い職人の手間が省け、施工コストを安くすることができる上、銅線２に付着している油が職人の手袋を汚すおそれがなく、そのため、瓦の表面に汚れが付きにくく、美しい仕上がりが期待できる。
【００１９】
前記貫通孔１３が多数設けられているため、分割瓦１０を棟方向Ｘのいずれの位置で割っても銅線２を分割瓦１０に括り付けることが可能となる。
【００２０】
図４は実施例２を示す。
実施例２は前記銅線２を用いたガイドラインに沿った工法を示す。この図に示すように銅線２は金具５に括り付けてもよい。
【００２１】
図５および図６は実施例３を示す。
この実施例３では図６Ａ〜図６Ｃに示すのし瓦１が用いられる。これらの図から分かるように、テーパ面１１を形成する凸条１１Ａに凹凸を形成してもよい。
【００２２】
図７は実施例４を示す。
この実施例４においては、前記テーパ面１１の近傍には屋根の傾斜方向Ｙに延びる突条１９が前記棟方向Ｘに互いに離間して複数本設けられている。
【００２３】
かかる突条１９は葺土３に対し棟方向Ｘに係合する。そのため、分割瓦１０は棟方向Ｘにもズレにくくなるので、地震などにより棟が崩れるのを防止し得る。
【産業上の利用可能性】
【００２４】
本考案は屋根の棟に用いることができる。
【符号の説明】
【００２５】
１：のし瓦
１０：分割瓦
１１：テーパ面  １１Ａ：凸条  １００：凸条
１２：下面
１３：貫通孔
１５：係合溝
１９：突条
２：銅線
３：葺土
４：冠瓦
５：金具
５０：野地板
Ｃ：中心線  Ｘ：棟方向    Ｙ：傾斜方向
【図１】
0003169677.tif 000003
【図２】
0003169677.tif 000004
【図３】
0003169677.tif 000005
【図４】
0003169677.tif 000006
【図５】
0003169677.tif 000007
【図６】
0003169677.tif 000008
【図７】
0003169677.tif 000009
【図８】
0003169677.tif 000010